(57)【要約】      （修正有）【課題】ばね要素と吸振要素を適切に用いることで、搬送台車のキャビンの振動を抑制する。【解決手段】路上をタイヤにより走行可能な台車本体１と、走行方向に沿って台車本体１の接地幅の外方に持ち出した位置に配置されるキャビン２と、このキャビン２を前記台車本体１に支持させる支持手段とを具備してなるものにおいて、前記支持手段を、キャビン２の荷重を台車本体に弾性的に支持させるばね要素と、前記キャビン２の前記台車本体１に対する上下方向の振動エネルギーを吸収する吸振要素９とにより構成し、前記ばね要素にエアサスペンション８を採用してキャビン２の前後左右の４箇所を支持させた。【選択図】図４
2010214974.tif 000002
【特許請求の範囲】
【請求項１】
路上に接地して走行可能な台車本体と、走行方向に沿って前記台車本体の接地幅の外方に持ち出した位置に配置されるキャビンと、このキャビンを前記台車本体に支持させる支持手段とを具備してなるものにおいて、前記支持手段を、キャビンの荷重を台車本体に弾性的に支持させるばね要素と、前記キャビンの前記台車本体に対する上下方向の振動エネルギーを吸収する吸振要素とにより構成し、前記ばね要素にエアサスペンションを採用してキャビンの前後左右の４箇所を支持させたことを特徴とする搬送台車。
【請求項２】
キャビンと台車本体との間に、台車本体に対するキャビンの幅方向の振れを拘束する第１の拘束手段と、当該キャビンの前後方向の振れを拘束する第２の拘束手段とを設けている請求項１記載の搬送台車。
【請求項３】
キャビンは台車本体の一部から突出したフレームの下方に位置づけられ、エアサスペンションにキャビン荷重が圧縮力として作用する態様で当該エアサスペンションを介して前記フレームに支持されている請求項１又は２何れかに記載の搬送台車。
【請求項４】
台車本体に対するキャビンの変位を規制するストッパ機構が台車本体との間に介在され、エアサスペンションは、キャビンの変位に伴ってストロークが大きくなるほどばね定数が大きくなるように構成されている請求項１〜３何れかに記載の搬送台車。
【請求項５】
エアサスペンションは、ばね定数が非線形に変化するように構成されている請求項４記載の搬送台車。
【請求項６】
エアサスペンションのばね定数は、キャビンの主たる固有振動周波数成分を３Ｈｚ以下の範囲に収めるように設定されている請求項１〜５何れかに記載の搬送台車。
【発明の詳細な説明】
【技術分野】
【０００１】
本発明は、ばね要素を工夫して低周波振動による乗り心地の低下と過大な振動衝撃に適切に善処した搬送台車に関するものである。
【背景技術】
【０００２】
この種の搬送台車として、車輪に支持された車体フレームと、この車体フレームの端部に配置されて運転席等が内装されたキャビン（運転室）とを備えてなる大型の搬送台車が知られている。
【０００３】
このものは、倉庫や坑道、港湾といったさまざまな場所で、鉄鋼、建材、大形コンテナなどの超重量搬送物の搬送を行うものである。このような大型の搬送台車は一般的な自動車や特殊車両とは異なり、重厚長大な荷物を積載するため、台車本体の積載面が最大限に広く設けられ、キャビンは荷役の妨げにならないように積載面の下に吊り下げるように設けられている。このような車両での作業は長時間に及ぶため、キャビンの防振を図ることが不可欠である。
【０００４】
このようなキャビンを支持するためには、特許文献１に示されるような吸振部材や、特許文献２に示されるようなばね要素を採用することが考えられる。
【０００５】
特許文献１のキャビン支持装置は、車体前部に運転席を囲包するキャビンを装備した産業車両において、該キャビンは車体に立設されてほぼ水平状に屈曲延在する支持アームに吸振部材を介して吊持させている。
【０００６】
また、特許文献２の作業機は、作業機の本体フレームと、基端側が該本体フレームに固着されると共に先端側が自由端となって上方に延在した片持ち支柱と、該片持ち支柱で支持されるように該片持ち支柱によって形成される空間内に配設された枠体と、該枠体内に配設された運転室と、前記枠体を前記片持ち支柱に支持すると共に、前記本体フレームの振動が前記片持ち支柱を介して枠体に伝わるのを緩衝する第１の緩衝支持体と、前記運転室を前記枠体内に支持すると共に、前記枠体の振動が運転室に伝わるのを緩衝する第２の緩衝支持体とを設けている。
【先行技術文献】
【特許文献】
【０００７】
【特許文献１】特開平５−１７８５８６号公報
【特許文献２】特開平９−１０９９２２号公報
【発明の概要】
【発明が解決しようとする課題】
【０００８】
しかしながら、特許文献２のものは、第１の緩衝支持体と第２の緩衝支持体によってキャビンを二重に浮かした状態に支持しなければならないため、構造が複雑であるとともに、乗り降りにも支障があり、実際にキャビンと台車本体との間に適用するには現実的ではない。
【０００９】
一方、特許文献１に示すものは、吸振部材のみを開示しているが、実際にはばね要素とともにキャビンを支持しなければ適切な防振機能を発揮させることは難しいと考えられる。
【００１０】
そこで、特許文献１の吸振部材に特許文献２でも用いられているばね要素を併設しておくことが考えられるが、搬送台車の場合はキャビンがタイヤによる接地幅よりも走行方向の外側に持ち出されているため、振動、とりわけ路面からタイヤを介して伝わる低周波振動が増幅され易い。特に、路面からの振動は、主要な周波数が人間の感度の高い周波数範囲（３〜８Ｈｚ）に入り易いため、乗り心地が極めて悪い状態となる。このような振動を抑制するためには、ばね定数の小さい柔らかいバネを用いて人体に影響の大きい低周波領域よりも固有振動数を更に低周波とすることが必要である。しかしながら、キャビンが接地点の外に持ち出されているために上下方向の振幅が増幅して伝達されるという搬送台車の特質を考えると、柔らかいバネでは急激な上下変動に対応することが難しく、キャビンと台車本体との間にストッパを設けるとストッパの衝突が頻繁に発生して衝撃振動や騒音が大きくなる原因となる。逆に、ばね定数を大きくすると、上述したように人間の感度の高い周波数範囲に入るため、人体が共振を起こして不都合が大きい。したがって、ばね要素によりこれらを両立して支持する新たな構造が不可欠である。
【００１１】
さらに、この種の搬送台車は、荷役作業がキャビンの乗り降りを始めとしてキャビン周辺で行われ、パレットを持ち上げるために当該パレットの下に潜り込むこともあって、キャビンの外壁からばね要素が大きく突出することは望ましくなく、組み付けの観点からも、新たな対策はばね要素の大型化を回避できるものでもなければならない。
【００１２】
本発明は、搬送台車においてこれらの課題を有効に解決することを目的としている。
【課題を解決するための手段】
【００１３】
本発明は、かかる目的を達成するために、次のような手段を講じたものである。
【００１４】
すなわち、本発明における搬送台車は、路上に接地して走行可能な台車本体と、走行方向に沿って前記台車本体の接地幅の外方に持ち出した位置に配置されるキャビンと、このキャビンを前記台車本体に支持させる支持手段とを具備してなるものにおいて、前記支持手段を、キャビンの荷重を台車本体に弾性的に支持させるばね要素と、前記キャビンの前記台車本体に対する上下方向の振動エネルギーを吸収する吸振要素とにより構成し、前記ばね要素にエアサスペンションを採用してキャビンの前後左右の４箇所を支持させたことを特徴とする。ここで接地幅とは、走行方向の両端部に位置するタイヤ等の間の有効接地距離をいい、外方に持ち出すとは、接地領域から外れる方向にキャビンを変位させることをいう。
【００１５】
このように、吸振手段とばね要素とを併用した上で、ばね要素にエアサスペンションを使用してキャビンを少なくとも４点支持するようにすれば、キャビンの支持状態が安定する上に、当該エアサスペンションにおいてはばね定数を十分に下げることができるので、走行時の振動周波数領域を人間の振動に対する感度が高い領域から有効に外すことが可能となる。その際、エアサスペンションは単体でばね定数が変化する特性を有するため、柔らかい支持状態と硬い支持状態とを両立させる設計を通じて乗り心地と耐衝撃性との両立点を追求することが容易となる。さらに、ばね定数を下げるためにコイルばねを用いた場合、同じばね径でばね定数を下げていくと応力的に限界があるため、径の大きなコイルばねを組み込まざるを得なくなるが、エアサスペンションを採用すれば、応力限界による大径化を招かずに柔らかい支持状態を有効に実現することができる。
【００１６】
特に柔らかい支持状態を適確にサポートするためには、キャビンと台車本体との間に、台車本体に対するキャビンの幅方向の振れを拘束する第１の拘束手段と、当該キャビンの前後方向の振れを拘束する第２の拘束手段とを設けていることが望ましい。
【００１７】
エアの圧縮を利用した適切な支持状態を実現するためには、キャビンが台車本体の一部から突出したフレームの下方に位置づけられ、エアサスペンションにキャビン荷重が圧縮力として作用する態様で当該エアサスペンションを介して前記フレームに支持されていることが好ましい。
【００１８】
ストッパ衝撃を有効に低減するためには、台車本体に対するキャビンの変位を規制するストッパが台車本体との間に介在され、エアサスペンションは、キャビンの変位に伴ってストロークが大きくなるほどばね定数が大きくなるように構成されていることが好適である。
【００１９】
限られたキャビンの昇降範囲で、柔らかく支持する領域と、確実に支持する領域との間でばね定数の差を大きく設定するためには、エアサスペンションを、ばね定数が非線形に変化するように構成しておくことが好ましい。
【００２０】
人体に影響が少ない範囲で、ばね径の大型化を極力抑えるためには、エアサスペンションのばね定数は、キャビンの主たる固有振動周波数成分を３Ｈｚ以下の範囲に収めるように設定されていることが好適である。
【発明の効果】
【００２１】
本発明は、以上説明した構成であるから、作業性や組み付けに支障が生じるようなばね要素の大型化を招くことなく、キャビンの固有振動数を人間に対する振動の感度が高い周波数領域から外して乗り心地を改善することができ、かつエアサスペンションのばね定数の追求を通じて急激な上下変動、これによる騒音にも有効に善処可能とした、新たな防振機能を備えた搬送台車を提供することが可能となる。
【図面の簡単な説明】
【００２２】
【図１】本発明の一実施形態に係る搬送台車の模式的な全体図。
【図２】同搬送台車のキャビン周辺の構成を示す斜視図。
【図３】同キャビンに付随する防振機能を説明する側面図。
【図４】同キャビンに付随する防振機能を説明する背面図。
【図５】図３に対応した模式図。
【図６】図４に対応した模式図。
【図７】同実施形態における走行時のキャビン振動の周波数分析を示す比較例。
【図８】同実施形態で用いるエアサスペンションのばね定数を示すグラフ。
【発明を実施するための形態】
【００２３】
以下、本発明の一実施形態を、図面を参照して説明する。
【００２４】
この実施形態の搬送台車は、図１及び図２に示すように、路上を走行可能な台車本体１と、この台車本体１を運転するための運転席を内装したキャビン２と、このキャビン２の開口部２１に対して閉止位置と開放位置との間でスライド可能なスライドドア３と、前記キャビン２の一部と前記スライドドア３の一部とを接続して当該スライドドア３を開閉駆動するエア駆動式のアクチュエータであるエアシリンダ４とを備える。
【００２５】
台車本体１は、倉庫や坑道、港湾などにおいて鉄鋼、建材、大形コンテナなどの超重量の搬送物の搬送を行うべく、高強度のフレーム１１を多数のタイヤ部１２に昇降可能に支持させて構成される。すなわち、この搬送台車１は、搬送物を積載したパレットと称される図示しない門型の搬送用荷台の下に潜り込んでフレーム１１によりこれを持ち上げ、その状態を保って移動するものである。台車本体１には、長大な車両が無理なく曲がれるようにステアリング機能が備わる。台車本体１のフレーム１１は、一対の垂下壁部１１ａ、１１ａの間を接続する位置に存する主水平フレーム部１１ｂを主な積荷領域とし、走行機能を司るタイヤ部１２のほか、車軸サスペンションばね１１ｃや図示しない昇降機構などが、一対の垂下壁部１１a、１１ａと主水平フレーム部１１ｂとで部分的に囲まれる台車下空間に組み込まれている。主水平フレーム部１１ｂの一部は垂下壁部１１ａよりも外方に延長フレーム部１１ｄとして延出させてあり、この延長フレーム部１１ｄと前記主水平フレーム部１１ｂとにわたって積荷を積載することも可能とされている。
【００２６】
このような搬送台車は、積載領域を最大限に確保するために、前記キャビン２は接地幅を超えて走行方向の端部に設けられ、しかも往来を頻繁に繰り返すことから、当該キャビン２は走行方向の両側の端部に対をなして設けられて、作業員が適時、進行方向の前端側に位置するキャビン２に乗り込むことで、前進・後進を区別なく行うことができる。
【００２７】
キャビン２は、台車本体１の延長フレーム部１１ｄの下方に配置されたもので、作業員が運転するためのシートやオペレーションに必要な機器類からなる運転席２０が内装されている。すなわち、キャビン２は、台車本体１の垂下壁部１１ａの前方において延長フレーム１１ｄにオーバーハング状態で支持されて台車本体１とは独立している。
【００２８】
キャビン２は、図２に示すように、後壁部２２、側壁部２３、底壁部２４、頂壁部２５及び前壁部２６によって形成されるもので、走行方向に向かって左右に位置する側壁部２３の一方に作業員が乗り降りする開口部２１をほぼ矩形状に設けている。そして、キャビン２は上記のように台車本体１から独立しており、スライドドア３に対する開閉機構はこのキャビン２において完結しなければならず、また、荷役の妨げにならないためにスライドドア３は前方へ開放動作させなければならない。このことを踏まえて、この開口部２１の近傍に、上下に対をなして前レール５１，６１及び後レール５２，６２を設けている。ここに言う「前」、「後」は、作業員がキャビン２に乗り込んで前進する方向を基準としているもので、台車本体１の一端部に位置するキャビン２と他端部に位置するキャビン２とでは前後関係が逆になる。
【００２９】
スライドドア３は、これらのレール５１，６１，５２，６２にガイドローラ７２ａ等を係合させ、かつレール５１，５２の近傍に設定した転動面５ｂ上に車輪７２ｂ等を転動可能に接地させて、開口部２１を閉止する位置と開放する位置との間で移動可能とされ、エアシリンダ４によって開閉駆動可能とされている。エアシリンダ４は、台車本体１に備わる図示しない荷役駆動用のエアポンプ（例えば、荷役動作時のブレーキ用のエアポンプ）からエアの供給を受けて作動する。
【００３０】
このように構成される搬送台車は、走行方向に長大なものであり、また、台車本体１の重量が搬送物の非積載時で２０ｔ程度、積載時で２００ｔ程度にも上り、対するキャビン２の重量は７００ｋｇ程度であって、重量比にして数十倍〜数百倍程度の大きな開きがあるなど、一般の特殊車両と大きく事情が異なるものである。
【００３１】
そして、このようなキャビン２を支持すべく、図３及び図４に示すように、当該キャビンと台車本体１との間に、ばね要素であるエアサスペンション８と、吸振要素であるショックアブソーバ９とを備えた支持手段Ａを設けている。
【００３２】
エアサスペンション８は、キャビン２の側壁部２３の前上部において図４の紙面垂直方向に一対に配置した２つの前サスペンション８１と、キャビン２の側壁部２３の後上部において図４の紙面垂直方向に一対に配置した２つの後サスペンション８２とにより、キャビン２の前後左右の４箇所を支持する位置に配置されるもので、例えば図３右側の前サスペンション８１に例示されるように、台車本体１のフレーム１の一部を構成する横フレーム１１ｅから垂下させた支持体８３の上向面８３ａとキャビン２から水平方向に突出させたブラケット８４との間に、キャビン荷重が下向きの圧縮力として作用するように組み込まれている。そして、キャビン２の上下振動に対して前サスペンション８１は伸縮しながらこれを弾性的に支持する。エアサスペンション８には、必要に応じて台車本体１側からエアが補給可能であり、前述した荷役駆動用のエアポンプを利用することができる。
【００３３】
ブラケット８４と支持体８３の間には、図３及び図５に示すように、キャビン２の上動動作に伴う前サスペンション８４の伸長方向のストロークエンドを規制するストッパ機構８５が構成されている。エアサスペンション自体は種々の構造のものが周知であるため、詳細は省略するが、本実施形態の前サスペンション８１は、図７に示すように、キャビン２の上下変位に伴いストロークが大きくなるほどばね定数が大きくなるように構成されている。その際、前サスペンション８１の内部は、可動部の所定のストローク位置（図７における点ｘ１、ｘ２の位置）で当該可動部がゴム等の弾性体に当接するように構成され、ばね定数がこれらのストローク位置ｘ１、ｘ２で非線形に変化するようなばね特性が与えられている。後サスペンション８２の基本的な取付構造及びばね特性等も上記前サスペンション８１のそれに準ずる。非線形となるストローク位置は２箇所に限らず、目的、用途に応じて１箇所もしくは３箇所以上に設定することもできる。
【００３４】
図８は、ばね要素にコイルばねを用いたときと本実施形態のエアサスペンション８１，８２を用いたときとで、走行時のキャビン振動の周波数成分を対比させたものである。特にピークが立っている固有振動周波数成分に着目すると、コイルばねを用いたときでは２．５〜５Ｈｚの範囲に集まっているが、本実施形態ではエアサスペンション８１，８２を用いると２〜３Ｈｚの範囲にシフトしており、レベルも著しく低減している。
【００３５】
一方、図３及び図４に示すショックアブソーバ９は、キャビン２の側壁部２３の前上部において図４の紙面垂直方向に一対に配置した２つの前アブソーバ９１と、キャビン２の後壁部２２（図３参照）の幅方向２箇所に一対に配置した２つの後アブソーバ９２とにより、キャビン２の前後左右の４箇所で吸振を行うように配置されもので、図４左側に例示されるように、台車本体１のフレーム１の一部を構成する横フレーム１１ｆから垂下させた支持体９３の上向面９３ａとキャビン２から水平方向に突出させたブラケット９４との間に、キャビン２の上下動作に対してダンピング作用を営むように組み込まれている。そして、キャビン２の上下振動の振動エネルギーを熱エネルギーに変換する役割を果たす。後アブソーバ９２の基本的な取付構造及び役割も上記前アブソーバ９１のそれに準じ、ショックアブソーバ自体も種々の構造のものが周知であるため、詳細は省略する。
【００３６】
さらに本実施形態は、キャビン２と台車本体１との間に、台車本体１に対するキャビン２の幅方向の振れを拘束する第１の拘束手段たるテンションロッド１０１，１０２（図３参照）と、当該キャビン２の前後方向の振れを拘束する第２の拘束手段たるサスペンションリンク１０３，１０４（図４参照。但し、サスペンションリンク１０４は紙面奥側にあって図示されていない）とを設けている
【００３７】
図３に示すテンションロッド１０１，１０２は、台車本体１とキャビン２との紙面垂直方向の隙間に略平行をなして一対に配置されたもので、基端を台車本体１側の接続部位１ｐに接続し、先端をキャビン２の後壁部２２における接続部位２ｐに接続して、キャビン２の上下動を許容しつつ、当該キャビン２の横方向の動きを拘束している。両テンションロッド１０１，１０２の台車本体１への接続部位１ｐとキャビン２への接続部位２ｐとは逆使いとなるように幅方向に反転させてある。
【００３８】
また、図４に示すサスペンションリンク１０３、１０４は、図６に模式的に示すように、キャビン２の側壁上部と延長フレーム１１ｄとの間に設けられて対をなすもので、サスペンションリンク１０３は一端を延長フレーム１１ｅ側の接続部位１ｒに接続され、他端をキャビン２側の接続部位２ｒに接続されて、キャビン２の上下動を許容しつつ、当該キャビン２の前後方向の動きを拘束している。サスペンションリンク１０４についてもこれと同様であり、接続部位１ｒ、２ｒは前後に反転している。
【００３９】
すなわち、これらのテンションロッド１０１，１０２やサスペンションリンク１０３，１０４は、キャビン２のピッチング振動を防止するのみならず、エアサスペンション８１、８２に作動方向と直交する水平方向の応力が作用することを防止しているものである。
【００４０】
以上のように、本実施形態の搬送台車は、路上にタイヤ１２により接地して走行可能な台車本体１と、走行方向に沿って台車本体１の接地幅の外方に持ち出した位置に配置されるキャビン２と、このキャビン２を前記台車本体１に支持させる支持手段Ａとを具備するものである。そして、前記支持手段Ａを、キャビン２の荷重を台車本体に弾性的に支持させるばね要素８１，８１，８２、８２と、前記キャビン２の前記台車本体１に対する上下方向の振動エネルギーを吸収する吸振要素９とにより構成し、前記ばね要素８１，８２にエアサスペンションを採用してキャビン２の前後左右の４箇所を支持させたものである。
【００４１】
このように、吸振手段９とばね要素８１，８２とを併用した上で、ばね要素８１，８２にエアサスペンションを使用してキャビン２を４点で支持しているので、キャビン２の支持状態が安定する上に、当該エアサスペンション８においてはばね定数を十分に下げることができるので、走行時の振動周波数領域を人間の振動に対する感度が高い領域から有効に外すことが可能となる。その際、エアサスペンション８は単体でばね定数が変化する特性を有するため、柔らかい支持状態と硬い支持状態とを両立させる設計を通じて乗り心地と静寂性、耐衝撃性との両立点を追求することが容易となる。さらに、ばね定数を下げるためにコイルばねを用いた場合、同じばね径でばね定数を下げていくと応力的に限界があるため、径の大きなコイルばねを組み込まざるを得なくなるが、エアサスペンション８を用いれば、応力限界による大径化を招かずに上記のような柔らかい支持状態を得ることができるため、コンパクトに構成できて組み付けも容易な構造を有効に実現することが可能となる。
【００４２】
さらに、キャビン２と台車本体１との間に、台車本体１に対するキャビン２の幅方向の振れを拘束する第１の拘束手段であるテンションロッド１０１、１０２と、当該キャビンの前後方向の振れを拘束する第２の拘束手段であるサスペンションリンク１０３、１０４とを併用しているので、エアサスペンション８に作動方向と異なる水平方向の外力が働いて機能阻害を引き起こすことを有効に防止することができ、特に柔らかい支持状態を的確にサポートすることができる。
【００４３】
そして、キャビン２は台車本体１の一部から突出した延長フレーム１１ｅの下方に位置づけられ、エアサスペンション８にキャビン荷重が圧縮力として作用する態様で当該エアサスペンション８を介して前記延長フレーム１１ｅに支持させるようにしているので、見掛け上はキャビン２を台車本体１に吊り下げるように配置しながら、実際にはエアサスペンション８にキャビン荷重を圧縮荷重として作用させて、エアの圧縮を利用した適切な支持状態を実現することができる。
【００４４】
また、台車本体１に対するキャビン２の上下変位を規制するストッパ機構８５が台車本体１との間に介在され、エアサスペンション８は、キャビン２の上下変位に伴ってストロークが大きくなるほどばね定数が大きくなるように構成されているので、柔らかく支持する領域と、確実に支持する領域とを両立させることができ、大振幅時のストッパ衝撃、これに伴う騒音を有効に低減することが可能となる。
【００４５】
加えて、エアサスペンション８は、ばね定数が非線形に変化するように構成されているので、限られたキャビン２の昇降範囲で、柔らかく支持する領域と、確実に支持する領域との間でばね定数の差を大きく設定することが容易となり、内設の弾性体とも相まって、大振幅時のストッパ衝撃をより有効に低減する上で奏功するものとなる。
【００４６】
さらにまた、エアサスペンション８のばね定数が、キャビン２の主たる固有振動周波数成分を２〜３Ｈｚの範囲に収めるように設定されているため、人体に振動の影響が少ない範囲でばね径の大型化を極力抑えるための具体的な基準を有効に提供することが可能となる。
【００４７】
なお、各部の具体的な構成は、上述した実施形態のみに限定されるものではなく、本発明の趣旨を逸脱しない範囲で種々変形が可能である。
【００４８】
例えば、エアサスペンションに補助タンクを設けることでばね定数をさらに低くし、振動遮断性能を大きくすることもできる。
【００４９】
キャビンの固有振動周波数成分も、３Ｈｚ以下の範囲にあれば効果的であるため、例えば１〜２Ｈｚの範囲に収まるような設計をすること等も有効である。
【符号の説明】
【００５０】
Ａ…支持手段
１…台車本体
１１…フレーム
２…キャビン
８，８１，８２…ばね要素（エアサスペンション）
９、９１，９２…吸振要素（ショックアプソーバ）
８５…ストッパ機構
１０１、１０２…第１の拘束手段（テンションロッド）
１０３、１０４…第２の拘束手段（サスペンションリンク）
【図１】
2010214974.tif 000003
【図２】
2010214974.tif 000004
【図３】
2010214974.tif 000005
【図４】
2010214974.tif 000006
【図５】
2010214974.tif 000007
【図６】
2010214974.tif 000008
【図７】
2010214974.tif 000009
【図８】
2010214974.tif 000010